(57)【特許請求の範囲】
【請求項１】
複数の階層から構成されるデジタル放送を放送するデジタル放送システムであって、
対象物の距離情報を、前記複数の階層のうちのＡ階層のＡｕｘｉｌｉａｒｙ  Ｃｈａｎｎｅｌのキャリアに重畳できるデータ量とし、かつ、前記Ａ階層のみで完結するように生成し、生成した対象物の距離情報を、前記Ａ階層のＡｕｘｉｌｉａｒｙ  Ｃｈａｎｎｅｌのキャリアに重畳し、前記対象物の位置情報を、前記複数の階層のうちのＢ階層のＡｕｘｉｌｉａｒｙ  Ｃｈａｎｎｅｌのキャリアに重畳できるデータ量とし、かつ、前記Ｂ階層のみで完結するように生成し、生成した対象物の位置情報を、前記Ｂ階層のＡｕｘｉｌｉａｒｙ  Ｃｈａｎｎｅｌのキャリアに重畳する重畳手段を有することを特徴とするデジタル放送システム。
【請求項２】
複数の階層から構成されるデジタル放送を放送するデジタル放送方法であって、
対象物の距離情報を、前記複数の階層のうちのＡ階層のＡｕｘｉｌｉａｒｙ  Ｃｈａｎｎｅｌのキャリアに重畳できるデータ量とし、かつ、前記Ａ階層のみで完結するように生成し、生成した対象物の距離情報を、前記Ａ階層のＡｕｘｉｌｉａｒｙ  Ｃｈａｎｎｅｌのキャリアに重畳し、
前記対象物の位置情報を、前記複数の階層のうちのＢ階層のＡｕｘｉｌｉａｒｙ  Ｃｈａｎｎｅｌのキャリアに重畳できるデータ量とし、かつ、前記Ｂ階層のみで完結するように生成し、生成した対象物の位置情報を、前記Ｂ階層のＡｕｘｉｌｉａｒｙ  Ｃｈａｎｎｅｌのキャリアに重畳する
ことを特徴とするデジタル放送方法。
【発明の詳細な説明】
【技術分野】
【０００１】
本発明はデジタル放送システム、及びデジタル放送方法に関し、特に、デジタル放送における補助チャンネル（Ａｕｘｉｌｉａｒｙ  Ｃｈａｎｎｅｌ）に関する。
【背景技術】
【０００２】
アナログ地上放送に代わる放送として、地上デジタル放送が開始されている。この地上デジタル放送では、１チャンネルの伝送帯域が１３個の帯域（ＯＦＤＭセグメント）に分割されている。ＯＦＤＭセグメントとは、データキャリアに制御信号キャリアを付加した伝送信号の基本帯域（テレビチャンネル帯域の１／１３）信号である。１３セグメントに分割された１チャンネルの伝送帯域は、セグメントごとに、伝送パラメータや伝送する情報を設定することができる。
【０００３】
このため、１チャンネルで高精細テレビジョン放送を放送したり、１チャンネルで複数の標準テレビジョン放送やデータ放送などさまざまなサービスを組み合わせて放送したりすることができる。
【０００４】
また、一部のセグメントの伝送パラメータを妨害に強く設定することにより、家庭での固定受信に加えて、自動車等の移動体での受信や携帯端末の受信（以下、部分受信と称する）に適したサービスが行うことが可能であり、地上デジタル放送では、１３個のセグメントの中央の１セグメントを携帯向け放送サービス（部分受信）が行われている。
【０００５】
更に、デジタル放送では、付加情報を伝送する補助チャンネル（Ａｕｘｉｌｉａｒｙ  Ｃｈａｎｎｅｌ：以下、ＡＣと呼ぶ）と呼ばれるチャンネルがあり、このチャンネルの付加情報は各セグメントのＡＣキャリアに分散されて重畳される。
【０００６】
このようなＡＣに基地局等の制御情報を重畳して、基地局の制御に用いる技術が特許文献１に開示されている。
【特許文献１】特開２００５−１９１９０４号公報
【発明の開示】
【発明が解決しようとする課題】
【０００７】
しかしながら、上述した付加情報は各セグメントのＡＣキャリアに分散されて重畳されるので、全ての階層の信号を受信しなければ、ＡＣの付加情報を正常に受信することはできなかった。例えば、Ａ階層（部分受信階層）のみ受信した場合、ＡＣで伝送したデータを正常に受信することはできなかった。
【０００８】
そこで、本発明は上記課題に鑑みて発明されたものであって、その目的は、デジタル放送において、少なくとも一部の階層（例えば、Ａ階層（部分受信階層））のみを受信した場合であっても、受信した階層の補助チャンネルに重畳されたデータを正しく受信することができるデジタル放送システム、及びデジタル放送方法を提供することにある。
【課題を解決するための手段】
【０００９】
上記課題を解決する本発明は、複数の階層から構成されるデジタル放送を放送するデジタル放送システムであって、対象物の距離情報を、前記複数の階層のうちのＡ階層のＡｕｘｉｌｉａｒｙ  Ｃｈａｎｎｅｌのキャリアに重畳できるデータ量とし、かつ、前記Ａ階層のみで完結するように生成し、生成した対象物の距離情報を、前記Ａ階層のＡｕｘｉｌｉａｒｙ  Ｃｈａｎｎｅｌのキャリアに重畳し、前記対象物の位置情報を、前記複数の階層のうちのＢ階層のＡｕｘｉｌｉａｒｙ  Ｃｈａｎｎｅｌのキャリアに重畳できるデータ量とし、かつ、前記Ｂ階層のみで完結するように生成し、生成した対象物の位置情報を、前記Ｂ階層のＡｕｘｉｌｉａｒｙ  Ｃｈａｎｎｅｌのキャリアに重畳する重畳手段を有することを特徴とする。
【００１０】
上記課題を解決する本発明は、複数の階層から構成されるデジタル放送を放送するデジタル放送方法であって、対象物の距離情報を、前記複数の階層のうちのＡ階層のＡｕｘｉｌｉａｒｙ  Ｃｈａｎｎｅｌのキャリアに重畳できるデータ量とし、かつ、前記Ａ階層のみで完結するように生成し、生成した対象物の距離情報を、前記Ａ階層のＡｕｘｉｌｉａｒｙ  Ｃｈａｎｎｅｌのキャリアに重畳し、前記対象物の位置情報を、前記複数の階層のうちのＢ階層のＡｕｘｉｌｉａｒｙ  Ｃｈａｎｎｅｌのキャリアに重畳できるデータ量とし、かつ、前記Ｂ階層のみで完結するように生成し、生成した対象物の位置情報を、前記Ｂ階層のＡｕｘｉｌｉａｒｙ  Ｃｈａｎｎｅｌのキャリアに重畳することを特徴とする。
【発明の効果】
【００１１】
本発明は、デジタル放送における補助チャンネルに重畳するデータを階層別に生成し、各階層のデータを、各階層の補助チャンネルのキャリアに重畳するように構成しているので、少なくとも一部の階層（例えば、Ａ階層（部分受信階層））のみを受信した場合であっても、受信した階層の補助チャンネルに重畳されたデータを正しく受信することができる。
【発明を実施するための最良の形態】
【００１２】
本発明の実施の形態を説明する。尚、以下の説明では、ひとつのチャンネルがＡ階層（部分受信階層）とＢ階層（固定受信階層）とのふたつの階層から構成されているものとして説明する。
【００１３】
本発明の実施の形態は、補助チャンネルに重畳するデータを、それぞれの階層毎に完結するように生成する。すなわち、各階層の補助チャンネルのデータは、その階層のＡＣキャリアに重畳できるデータ量とする。そして、各階層の補助チャンネルのデータを、対応する階層のＡＣキャリアに重畳する。
【００１４】
図１は、補助チャンネルのデータのうち、Ａ階層用のデータをＡ階層のＡＣキャリアに重畳し、Ｂ階層用のデータをＢ階層のＡＣキャリアに重畳した様子を示したものである。
【００１５】
ここで、図１に示される、Ａ階層用の補助チャンネルのデータをＡ階層のＡＣキャリアに重畳し、Ｂ階層用の補助チャンネルのデータをＢ階層のＡＣキャリアに重畳した放送波を、Ａ階層のみの部分受信を行ったものとする。この場合、Ａ階層のＡＣキャリアに重畳されたデータしか取得することはできないが、本実施の形態ではＡ階層のＡＣキャリアに重畳されたデータはＡ階層用のデータであるので、従来のように部分受信する場合にはＡＣキャリアに重畳された補助チャンネルのデータを使用できないということがない。
【００１６】
ここで、補助チャンネルに重畳するデータであるが、例えば、（Ｎ−１）音声を生成する為のオンエア音声の音声データがある。オンエア音声を、Ａ階層のＡＣキャリアに重畳できるデータ量とし、Ａ階層のみで完結するように生成する。そして、これをＡ階層のＡＣキャリアに重畳する。現在、中継現場でＮ−１音声を生成する時にはアナログ放送の音声を使用していることが多い。これはデジタル放送の音声は、時間インターリーブの処理やエンコード、デコードにより２秒以上遅れが発生してしまうためである。しかし、低遅延のＡＣ信号によりオンエア音声を伝送することで、中継現場で（Ｎ−１）音声を遅延なく実現でき、かつ、放送波の受信もＡ階層のみの受信で足りる。この方法は、将来、アナログ放送が停波した時に有効である。尚、（Ｎ−１）音声とは、中継などの場合に中継先で自分が話した言葉が送り返されると話がしにくいため、オンエア音声から自分の音声を引いた音声のことである。
【００１７】
また、補助チャンネルに重畳するデータであるが、親局のデジタル放送波を受信可能な中継局のスーパー装置等の制御信号がある。これをＡ階層のみで完結するように生成し、これをＡ階層の補助チャンネルのキャリアに重畳する。
【００１８】
また、補助チャンネルに重畳するデータであるが、部分受信用の制御情報がある。例えば、１セグ（部分受信）独自の制御情報等をＡ階層のみで完結するように生成し、これをＡ階層の補助チャンネルのキャリアに重畳する。
【００１９】
また、補助チャンネルに重畳するデータであるが、Ａ階層のＡＣキャリアに重畳するデータをＡＡＣ（Advanced Audio Coding）データとし、Ｂ階層のＡＣキャリアに重畳するデータをＳＢＲ（Spectral Band Replication）データとする。ＳＢＲは、ＡＡＣ方式のオプションツールとしてＭＰＥＧにて追加規定された技術であり、ＡＡＣデータを補完するＳＢＲデータを付加することで高品位な音声を提供することができる。従って、Ａ階層のみ受信できた受信機であっても、ＡＡＣデータによる音声を再生することができ、更に、Ａ階層、Ｂ階層共に受信できた受信機であれば、ＡＡＣデータとＳＢＲデータとを用いることにより、高音質な音声を再生することができる。
【００２０】
また、補助チャンネルに重畳するデータであるが、マラソン中継のデータがある。例えば、Ａ階層用のデータを走者の距離情報とし、Ｂ階層用のデータを走者の経度、緯度といった位置情報や、高度情報とすることで、Ａ階層のみ受信できた受信機であっても走者の走った距離が分かり、更に、Ａ階層、Ｂ階層共に受信できた受信機であれば、より詳細な走者の位置情報が取得することができる。
【００２１】
以上の如く、補助チャンネルに重畳するデータ例を説明したが、これに限られない。すなわち、データ量が各階層のＡＣキャリアに重畳できる量であり、階層毎に完結するデータであれば、データの内容は問わない。
【００２２】
また、上述の説明では、階層をＡ階層（部分受信階層）とＢ階層（固定受信階層）として説明したが、これに限られない。例えば、階層をＡ階層、Ｂ階層、Ｃ階層の３つの階層としても良い。
【００２３】
次に、本発明の実施の形態における放送システムの具体例について説明する。
【００２４】
図２は本発明の実施の形態における放送システムのブロック図である。
【００２５】
本実施の形態における放送システムは、ＴＳを再多重するＴＳ再多重部１０と、ＯＦＤＭ変調部１１と、ＡＣエンコーダ１２とから構成されている。
【００２６】
ＴＳ再多重部１０は、映像、音声、データなどが多重された複数のＭＰＥＧ−２トランスポートストリームを多重し、セグメント構造による階層伝送が可能なＩＳＤＢ−Ｔ伝送方式に適合するようなトランスポートストリーム（放送ＴＳ）を生成する。
【００２７】
ＡＣエンコーダ１２は、階層別に生成されたＡ階層用のＡＣデータ（例えば、音声データのＡＡＣデータ）と、Ｂ階層用のＡＣデータ（例えば、音声データのＳＢＲデータ）とをエンコードする。
【００２８】
ＯＦＤＭ変調部１１は、放送ＴＳ、エンコードされたＡＣデータ等をＯＦＤＭ変調する。ＯＦＤＭ変調部１１は、図３に示す如く、階層変調処理部２０と、キャリア変調部２１とを備える。
【００２９】
階層変調処理部２０は、放送ＴＳに対して、誤り訂正、キャリア変調、階層合成、インターリーブ等の各階層の変調処理を行う。
【００３０】
キャリア変調部２１は、Ａ階層用のＡＣデータをＡ階層の所定のキャリアに重畳し、Ｂ階層用のＡＣデータをＢ階層の所定のキャリアに重畳する。また、ＴＭＣＣや、パイロット信号等も所定のキャリアに重畳する。
【００３１】
そして、階層変調処理部２０の出力信号とキャリア変調部２１の出力信号とが合成されて、放送波として出力される。
【００３２】
次に、本実施の形態の他の放送システムを説明する。
【００３３】
図４は本実施の形態の他の放送システムを示すブロック図である。
【００３４】
図４に示す如く、ＴＳ再多重部１０とＯＦＤＭ変調部１１との間にＡＣインサーター３０を備える。このＡＣインサーター３０は、ＡＣに、階層別に作成されたＡＣデータを挿入するものである。尚、このとき、階層別に作成されたＡＣデータにはデータ毎に階層を識別する識別情報が付加されているか、又は、ＡＣインサーター３０の入力端子から、いずれかの階層のＡＣデータであるかを識別できるものとする。
【００３５】
ここで、ＡＣインサーター３０のＡＣデータの挿入の方法であるが、各ＴＳパケットのダミーバイト部分に挿入する。このとき、後述するＡＣデータ階層分離部４１において、ＡＣデータの階層を識別するため、階層を識別する識別情報をデータと共に挿入する。尚、ＡＣデータ階層分離部４１が、ダミーバイト部分にＡＣデータが挿入されたパケットのＰＩＤ等からそのパケットに対応する階層を識別することができるならば、かならずしも階層を識別する識別情報をデータと共に挿入する必要はない。
【００３６】
ＯＦＤＭ変調部１１では、階層別に作成されたＡＣデータが重畳された重畳ＴＳにＯＦＤＭ変調を施して、ＯＦＤＭ信号とする。ＯＦＤＭ変調部１１は、図５に示す如く、各階層のＴＳの変調処理を行う階層変調処理部４０と、各階層のＴＳの変調処理とは別に、階層別のＡＣデータを階層毎に分離するＡＣデータ階層分離部４１と、分離した階層別のＡＣデータを各階層のＡＣキャリアに重畳するキャリア変調部４２とを備える。
【００３７】
ＡＣデータ階層分離部４１は、上述したように、各ＴＳパケットのダミーバイト部分に挿入されたＡＣデータを、階層を識別する識別情報、又はそのパケットのＰＩＤ等を基に各階層に分離し、ＡＣデータをキャリア変調部４２に出力する。
【００３８】
キャリア変調部４２は、ＡＣデータ階層分離部４１から出力されたＡＣデータを対応する階層のＡＣキャリアに重畳する。
【００３９】
このようにして、階層変調処理部４０の出力信号とキャリア変調部４２との出力信号とが合成されて、放送波（ＯＦＤＭ信号）が出力される。
【００４０】
更に、他の放送システムについて説明する。
【００４１】
本放送システムでは、ＡＣデータを無効階層に多重する例を説明する。
【００４２】
本放送システムは、図６に示す如く、ＴＳを再多重するＴＳ再多重部５０と、ＯＦＤＭ変調部５１とから構成されている。
【００４３】
各階層のＡＣデータのＴＳは、他の映像、音声のＴＳとともに、ＴＳ再多重部５０に入力される。ＴＳ再多重部５０では、映像、音声、データなどが多重された複数のＭＰＥＧ−２トランスポートストリームを多重し、セグメント構造による階層伝送が可能なＩＳＤＢ−Ｔ伝送方式に適合するようなトランスポートストリーム（放送ＴＳ）を生成すると共に、ＴＳパケットのLayer indicatorの情報を”0100”として、ＡＣデータをデータ部に格納する。このとき、ＡＣデータの階層の識別のために、ＡＣデータと共にそのＡＣデータの階層を識別する識別情報も格納する。また、Layer indicatorの情報により、ＡＣデータの階層を識別するようにしても良い。この場合、Layer indicatorの”1001”〜”1111”のいずれかを利用し、例えば、Layer indicatorが”1001”であるならば、Ａ階層のＡＣデータであると識別できるようにする（詳細はＡＲＩＢ  ＳＴＤ−Ｂ３１を参照）。
【００４４】
ＯＦＤＭ変調部５１では、ＴＳ再多重部５０から出力された放送ＴＳにＯＦＤＭ変調を施して、ＯＦＤＭ信号とする。ＯＦＤＭ変調部５１は、図７に示す如く、各階層のＴＳの変調処理を行う階層変調処理部６０と、各階層のＴＳの変調処理とは別に、放送ＴＳからＡＣデータのＴＳを識別するＡＣデータ分離部６１と、ＡＣデータ分離部６１から出力されたＡＣデータのＴＳのパケットからＡＣデータを取り出し、このＡＣデータを対応する階層のＡＣキャリアに重畳するキャリア変調部６２とを備える。尚、キャリア変調部６２におけるＡＣデータの階層の識別は、上述したように、ＡＣデータと共に挿入された階層の識別情報や、Layer indicatorの情報により行う。そして、階層変調処理部６０の出力信号とキャリア変調部６２との出力信号とが合成されて、放送波（ＯＦＤＭ信号）が出力される。
【００４５】
尚、上述した実施の形態では、階層をＡ階層とＢ階層との二つの階層の例を説明したが、これに限られない。例えば、Ａ階層、Ｂ階層及びＣ階層の三つの階層であっても良い。
【図面の簡単な説明】
【００４６】
【図１】図１は本発明を説明する為の図である。
【図２】図２は実施の形態における放送システムのブロック図である。
【図３】図３は実施の形態における放送システムのブロック図である。
【図４】図４は実施の形態における他の放送システムのブロック図である。
【図５】図５は実施の形態における他の放送システムのブロック図である。
【図６】図６は実施の形態における他の放送システムのブロック図である。
【図７】図７は実施の形態における他の放送システムのブロック図である。
【符号の説明】
【００４７】
１０，５０            ＴＳ再多重部
１１，５１            ＯＦＤＭ変調部
１２                  ＡＣエンコーダ
２０，４０，６０      階層変調処理部
２１，４２，６２      キャリア変調部
３０                  ＡＣインサーター
４１                  ＡＣデータ階層分離部
６１                  ＡＣデータ分離部
【図１】
0005525141.tif 000002
【図２】
0005525141.tif 000003
【図３】
0005525141.tif 000004
【図４】
0005525141.tif 000005
【図５】
0005525141.tif 000006
【図６】
0005525141.tif 000007
【図７】
0005525141.tif 000008